(57)【要約】      （修正有）【課題】熱による頭髪の損傷を防ぐと共に、騒音の小さなドライヤーを提供する。【解決手段】再生可能な吸湿材２１と、吸湿材近傍に配置した通風孔２３を少なくとも１つ設けた吸湿材保持部材２２とを具え、再生可能な吸湿材２１を直接頭髪に当接させることにより、熱による頭髪の損傷を防ぐと共に騒音を抑えることができる。【選択図】図１
2006130035.tif 000002
【特許請求の範囲】
【請求項１】
使用者が把持可能な把持部と、毛髪に接触させかつ送風を行う送風部とを一体的に構成したドライヤーであって、羽根とモータとを具備し前記モータを駆動して前記羽根を回転させることで送風動作を行う送風手段と、前記送風部に設けられ前記送風手段からの空気を外部へ噴出する孔部と、前記送風部に設けられかつ吸湿可能な吸湿手段とを備えたことを特徴とするドライヤー。
【請求項２】
送風部に、棒状突起が複数植立した櫛状部を設け、吸湿材を前記櫛状部の表面に配置したことを特徴とする請求項１に記載のドライヤー。
【請求項３】
送風部に、複数の薄板状の保持部を設け、吸湿材を前記保持部表面に配置したことを特徴とする請求項１に記載のドライヤー。
【発明の詳細な説明】
【技術分野】
【０００１】
本発明は、頭髪などを乾かす小型送風乾燥装置に関するものである。
【背景技術】
【０００２】
従来のドライヤーでは、濡れた頭髪を乾かすのにヒーターにより高温に加熱した空気を回転羽根により吹出口から吹き出し、濡れた頭髪に吹き付けることによって頭髪を乾かしている。
【０００３】
また、吸湿剤ローターをドライヤー内部に組み込むことにより除湿乾燥した常温に近い空気を頭髪に当て頭髪を乾かしているものもある（例えば、特許文献１参照。）。図４は前記特許文献１に記載された従来のドライヤーの実装形態を示すものである。
【０００４】
図４に示すように、ヘアードライヤー筒部（２）の内部の空気の通路を、隔壁（８）により上下に二分割し、上段は吸湿剤再生用の空気を通風させる再生空気通路とし、下段は本来のヘアードライヤーとしての機能を発揮する除湿空気通路とする。ファン（４）は、モーター（９）の駆動により、ファン駆動軸（１０）を介して回転し、吸込口（３）より、空気をヘアードライヤー筒部（２）の内部に送り込む働きをする。一方、モーター（９）の駆動は、減速装置（１１）及び吸湿剤ローター駆動軸（１２）を介して吸湿剤ローター（１）にも伝達され、吸湿剤ローター（１）も旋回する。ファン（４）により、ヘアードライヤー筒部（２）の内部に送られた空気は、隔壁（８）により上段の再生空気通路と下段の除湿空気通路に送られる。下段の除湿空気通路に送られた空気は、吸湿剤ローター（１）を通過することにより除湿され、乾燥空気となって吹出口（５）から吹き出され、濡れた頭髪に吹きつけられることにより、頭髪を高温にせずに乾かす効果を発揮する。他方、上段の再生空気通路に送られた空気は、吸湿剤再生用ヒーター（７）により高温に加熱され、下段の除湿空気通路で湿気を吸着した後の吸湿剤ローター（１）の湿った部分が旋回して上段通路に現れるところに吹きつけられる。吸湿剤ローター（１）の湿った部分は、この高温空気により加熱されて水分を放出し、吸湿機能が再生される。その後、吸湿剤ローター（１）の再生された部分はさらに旋回して再び下段の除湿空気通路に向かう。吸湿剤ローター（１）を通過した空気は放風口（１３）から放出される。
【０００５】
また、吹出口（５）から吹き出される乾燥空気だけでは、濡れた頭髪を乾かす速度が不十分である場合には、下段の除湿空気通路に補助ヒーターを設けて、頭髪を傷めない範囲で、通過する乾燥空気を若干加熱してもよい。図５は、通常のヒーター加熱方式のヘアードライヤーのヒーター部分を取り外し、着脱可能な構造とした吸湿剤（６）に置き換えたものである。ファン（４）により吸込口（３）から取り入れた空気を吸湿剤（６）を通過させることで除湿し、吹出口（５）から常温に近い乾燥空気を吹き出すことにより濡れた頭髪を高温にせずに乾かす作用を発揮する。
【０００６】
吹出口（５）から吹き出される乾燥空気だけでは、濡れた頭髪を乾かす速度が不十分である場合には、補助ヒーターを設けて、頭髪を傷めない範囲で、通過する乾燥空気を若干加熱してもよい。図６は、通常のヒーター加熱方式のヘアードライヤーのヒーター部分を吸湿剤再生用ヒーター（７）として利用し、その後方に再生可能な吸湿剤（６）を設置したものである。頭髪を乾かす時には、吸湿剤再生用ヒーター（７）を作動させず、ファン（４）により吸込口（３）から取り入れた空気を吸湿剤（６）を通過させることで除湿し、吹出口（５）から常温に近い乾燥空気を吹き出すことにより濡れた頭髪を高温にせずに乾かす作用を発揮させる。一方、吸湿剤再生時には、吸湿剤再生用ヒーターを作動させて、吸い込んだ空気を高温にして吸湿剤（６）に吹きつけ、吸湿剤（６）を再生する。
【特許文献１】特開２００１−１９０３２４号公報（第４頁、第１図）
【発明の開示】
【発明が解決しようとする課題】
【０００７】
しかしながら前記従来の構成では、高温の空気を一定時間頭髪に吹き付けるため、頭髪が熱により損傷を受けたり、抜け毛を引き起こすという課題を有していた。また、回転羽根により空気を頭髪に吹き付け頭髪を乾かすので、多くの風量を必要とするため回転羽根を１万数千ｒｐｍ程度の高速で回転させる必要があり、非常に大きな騒音が発生するという課題を有していた。また、回転数を上昇させるに伴い、消費電力も大きくなってしまう。
【０００８】
本発明は、前記従来の課題を解決するもので、熱による頭髪の損傷を防ぐと共に、騒音の小さなドライヤーを提供することを目的とする。
【課題を解決するための手段】
【０００９】
前記従来の課題を解決するために本発明のドライヤーは、使用者が把持可能な把持部と、毛髪に接触させかつ送風を行う送風部とを一体的に構成したドライヤーであって、羽根とモータとを具備し前記モータを駆動して前記羽根を回転させることで送風動作を行う送風手段と、前記送風部に設けられ前記送風手段からの空気を外部へ噴出する孔部と、前記送風部に設けられかつ吸湿可能な吸湿手段とを備えたものである。
【００１０】
本構成によって、前記吸湿材が頭髪の水分を吸着除去し頭髪を乾かす。
【発明の効果】
【００１１】
本発明のドライヤーによれば、吸湿材を直接濡れた頭髪に当てて頭髪を乾かすことで、モータ及び羽根を低回転で回転させるだけでよくなり、モータや羽根の回転時に発生する騒音を低減させることができ、消費電力も低減させることができる。
【００１２】
また、熱により頭髪を損傷させることなく頭髪を乾かすことができる。
【００１３】
さらに、吸湿材を用いるので、速やかに頭髪を乾燥させることができる。
【００１４】
また、送風部を櫛状にすることで、頭髪の乾燥を行いながら、整髪も行うことができる。
【発明を実施するための最良の形態】
【００１５】
本発明の請求項１〜３に記載の発明は、使用者が把持可能な把持部と、毛髪に接触させかつ送風を行う送風部とを一体的に構成したドライヤーであって、羽根とモータとを具備し前記モータを駆動して前記羽根を回転させることで送風動作を行う送風手段と、前記送風部に設けられ前記送風手段からの空気を外部へ噴出する孔部と、前記送風部に設けられかつ吸湿可能な吸湿手段とを備えたものであり、これにより、吸湿材を直接濡れた頭髪に当てて頭髪を乾かすことで、回転羽根の高速回転による騒音を防ぐことができ、また熱により頭髪を損傷させることなく頭髪を乾かすことができる。
【００１６】
以下本発明を実施するための最良の形態について、図面を参照しながら説明する。
【００１７】
（実施の形態１）
図１は、本発明の実施の形態１におけるドライヤー本体の構成を示すものであり、同図（ａ）は斜視図、同図（ｂ）は断面図である。
【００１８】
図１において、１００は人体の頭髪を乾燥させるドライヤー本体、２６は使用者がドライヤー本体１００を手で保持する際に把持する部分である把持部に相当するドライヤー筒部で、略筒形状を成しており、その内部に各種部品や構造を配している。
【００１９】
２２はドライヤー筒部の一端部に配された吸湿材保持部材で、樹脂成形品より構成され、内部が中空構造となっている略筒形状を成している。なお、吸湿材保持部材には後述する通気孔が設けられ、送風部を構成している。
【００２０】
２３は吸湿材保持部材２２の外周面に開けられた通風孔で、吸湿材保持部材２２の内部中空部分から外部へ通じるように設けられている。本実施の形態では、図１（ａ）に示すように複数個の通風孔を配する構成としたが、その個数は特に限定されるものではなく図１（ｂ）に示すように１個であっても構わない。当然ながら、複数個設けることで通風孔２３を介して噴射される空気（温風）の噴射範囲を広げることができる。また、通気孔２３の個数を少なく（例えば１個）にすれば、通気孔２３の一つ当たりの空気（温風）の噴射量あるいは噴射力を大きくすることができる。また、本実施の形態では、図１（ａ）に示すように複数の通気孔２３を千鳥状に配したが、配置方法については他の構成であっても構わない。
【００２１】
２１は吸湿材保持部材２２の筒状部外周面に配された吸湿材で、水分や湿気を速やかに吸収する材質より構成され、また吸収した水分や湿気を乾燥させることで再利用が可能となっている。なお、本実施の形態では、吸湿材２１の材料は綿糸を編み込んだものか不織布によって構成したが、これらに特に限定はせず、水分や湿気を吸収可能で、かつ乾燥により再利用が可能であれば、綿系以外のどのような材料を使って構成してもよい。また、吸湿材２１は吸湿材保持部材２２に頭髪等の被乾燥物に接触するように配置され、吸湿材保持部材２２には吸湿材１に乾燥するのに最適な風が当たるよう配置した通風孔２３が設けられている。つまり、本実施の形態のドライヤー本体１００は、この吸湿材２１の部位を、使用者の頭髪に接触あるいは近接させることで、湿気を帯びた頭髪を乾燥させることができるものである。
【００２２】
２５はドライヤー筒部２６内の中空部に配されたモータで、別途設けられた電源スイッチ（図示せず）をＯＮにすることで、コンセントなどからプラグ２８を介して電源が供給されて、所定回転数にて回転駆動するものである。なお、供給電源は、一般的にはコンセントなどからの交流電源を用いるが、電池などを装着可能として直流電源により動作させるようにしてもよい。
【００２３】
２４はモータ２５により回転駆動される回転羽根で、モータ２５における回転軸に配されている。この回転羽根２４が回転することで、空気の流れを発生させることができる。本実施の形態では、外気を吸気口２７を介して矢印Ａに示す方向へ取り込むような空気の流れを発生させている。なお、回転羽根２４とモータ２５とで送風手段を構成している。
【００２４】
２７はドライヤー筒部２６の他端部に設けられた吸気口で、ドライヤー筒部２６の内部中空と外部とが連通するように設けられている。なお図示では省略しているが、吸気口２７の外郭部には、ドライヤー本体１００内へ異物が侵入したりするのを防ぐために、金属製などで構成される網状のネットあるいは不織布を設けてもよい。
【００２５】
以上のように構成された本実施の形態のドライヤーについて、以下その動作について説明する。
【００２６】
まず、ドライヤー本体１００を使用する際は、プラグ２８をコンセント（図示せず）に挿入し、電源を確保する。次に、ドライヤー本体１００に設けられた電源スイッチ（図示せず）をＯＮにすることで、ドライヤー筒部２６内に設けられたモータ２５に電源が供給されて回転駆動する。モータ２５が駆動すると、モータの回転軸に配された回転羽根２４が矢印Ｄに示すように回転する。回転羽根２５が回転すると、吸気口２７を介して、外気が矢印Ａ方向に示すようにドライヤー筒部２６内へ流入する。
【００２７】
流入した外気はさらに矢印Ｂに示すように移動し、吸湿材保持部２２の内部中空部分へ移動する。吸湿材保持部２２には、通気孔２３が開口しているため、流入した外気は矢印Ｃに示すように通気孔２３から吸湿材２１へと噴出される。そして、吸湿材２１を介して外部へと流出することになる。
【００２８】
本ドライヤーを使用する際は、モータ２５を駆動させた状態で、吸湿材２１の部分を、人体の頭髪へ接触させる。これにより、頭髪に含まれた湿気や水分は吸湿材２１へ吸収されることになる。さらに、通気孔２３を介して空気が噴出されるため、頭髪の乾燥を促進させるとともに、湿気を含んだ吸湿材２１を速やかに乾燥させることができる。
【００２９】
以上のように本実施の形態によれば、再生可能な吸湿部材２１が直接頭髪に当接して速やかに頭髪の水分を吸着除去するため、頭髪を損傷せずに速やかに乾かすことができる。
【００３０】
また、回転羽根２４によりドライヤー筒部２６に送られ通風孔２３から吹き出された空気が、頭髪の乾燥を促進させると共に吸湿材２１を乾燥し再生させる。この時、回転羽根２４を高速で回転させる必要がないため、耳元での騒音を抑えることができるとともに、消費電力を低減させることもできる。
【００３１】
さらに、不織布などからなる吸湿材２１を設けているため、モータ２５で発生する音を吸音することができ、実際に聞こえるモータ２５の騒音を低減させることができる。
【００３２】
なお、再生可能な吸湿部材２１と通風孔２３から吹き出される空気だけでは、乾かす速度が不十分であるほど大量の濡れた頭髪を乾かす場合には、ドライヤー筒部２６内部に補助ヒーターを設けて、頭髪を傷めない範囲で、通過する空気を過熱してもよい。
【００３３】
なお、本実施の形態では、頭髪を乾燥させる用途して用いたが、吸湿材２１を接触させて湿気や水分を吸着させることができれば、頭髪以外の箇所を乾燥させる目的で使用してもよい。例えば、犬や猫などの哺乳類の体毛を乾燥させる用途としても用いてもよい。
【００３４】
（実施の形態２）
図２は、本発明の実施の形態１におけるドライヤー本体の構成を示すものであり、同図（ａ）は斜視図、同図（ｂ）は断面図である。
【００３５】
図２において、１００は人体の頭髪を乾燥させるドライヤー本体、３６は使用者がドライヤー本体１００を手で保持する際に把持する部分であるドライヤー筒部で、略筒形状を成しており、その内部に各種部品や構造を配している。
【００３６】
３２はドライヤー筒部の一端部に配された吸湿材保持部材で、樹脂成形品より構成され、内部が中空構造となっている略筒形状を成している。なお、吸湿材保持部材には後述する通気孔が設けられ、送風部を構成している。
【００３７】
３３は吸湿材保持部材３２の外周面に開けられた通風孔で、吸湿材保持部材３２の内部中空部分から外部へ通じるように設けられている。本実施の形態では、図２に示すように複数個の通風孔を配する構成としたが、その個数は特に限定されるものではなく、１個であっても構わない。当然ながら、複数個設けることで通風孔３３を介して噴射される空気（温風）の噴射範囲を広げることができる。また、通気孔３３の個数を少なく（例えば１個）にすれば、通気孔３３の一つ当たりの空気（温風）の噴射量あるいは噴射力を大きくすることができる。また、本実施の形態では、図２に示すように複数の通気孔２３を、櫛状部３８と交互に配したが、配置方法については他の構成であっても構わない。
【００３８】
３１は櫛状部３８の外周面に配された吸湿材で、水分や湿気を速やかに吸収する材質より構成され、また吸収した水分や湿気を乾燥させることで再利用が可能となっている。なお、本実施の形態では、吸湿材３１の材料は特に限定せず、水分や湿気を吸収可能で、かつ乾燥により再利用が可能であれば、どのような材料を使って構成してもよい。また、吸湿材３１は吸湿材保持部材３２に頭髪等の被乾燥物に接触するように配置され、吸湿材保持部材３２には吸湿材３１に乾燥するのに最適な風が当たるよう配置した通風孔３３が設けられている。つまり、本実施の形態のドライヤー本体１００は、この吸湿材３１の部位を、使用者の頭髪に接触あるいは近接させることで、湿気を帯びた頭髪を乾燥させることができるものである。
【００３９】
３５はドライヤー筒部３６内の中空部に配されたモータで、別途設けられた電源スイッチ（図示せず）をＯＮにすることで、コンセントなどからプラグを介して電源が供給されて、所定回転数にて回転駆動するものである。なお、供給電源は、一般的にはコンセントなどからの交流電源を用いるが、電池などを装着可能として直流電源により動作させるようにしてもよい。
【００４０】
３４はモータ３５により回転駆動される回転羽根で、モータ３５における回転軸に配されている。この回転羽根３４が回転することで、空気の流れを発生させることができる。本実施の形態では、外気を吸気口３７を介して矢印Ａに示す方向へ取り込むような空気の流れを発生させている。なお、回転羽根３４とモータ３５とで送風手段を構成している。
【００４１】
３７はドライヤー筒部３６の他端部に設けられた吸気口で、ドライヤー筒部３６の内部中空と外部とが連通するように設けられている。なお図示では省略しているが、吸気口３７の外郭部には、ドライヤー本体１００内へ異物が侵入したりするのを防ぐために、金属製などで構成される網状のネットあるいは不織布を設けてもよい。
【００４２】
３８は吸湿材保持部３２に複数本植立して配した櫛状部で、頭髪を解いて整髪するためのものである。本実施の形態では、吸湿材３１は櫛状部３８の外周部に設けている。本実施の形態では、略棒状の櫛状部３８の先端以外の側面に吸湿材３１を配したが、配置方法はこれに限るものではなく、櫛状部３８の先端を含めて吸湿材３１を配してもよいし、断片的に配置してもよい。櫛状部３８を図示のように設けたことで、通気孔３３は櫛状部３８の根元部分に配されることになる。
【００４３】
以上のように構成された本実施の形態のドライヤーについて、以下その動作について説明する。
【００４４】
まず、ドライヤー本体１００を使用する際は、プラグをコンセント（図示せず）に挿入し、電源を確保する。次に、ドライヤー本体１００に設けられた電源スイッチ（図示せず）をＯＮにすることで、ドライヤー筒部３６内に設けられたモータ３５に電源が供給されて回転駆動する。モータ３５が駆動すると、モータの回転軸に配された回転羽根３４が矢印Ｄに示すように回転する。回転羽根３５が回転すると、吸気口３７を介して、外気が矢印Ａ方向に示すようにドライヤー筒部３６内へ流入する。
【００４５】
流入した外気はさらに矢印Ｂに示すように移動し、吸湿材保持部３２の内部中空部分へ移動する。吸湿材保持部３２には、通気孔３３が開口しているため、流入した外気は矢印Ｃに示すように通気孔３３から外部へと噴出される。
【００４６】
本ドライヤーを使用する際は、モータ３５を駆動させた状態で、櫛状部３８で人体の頭髪を解く。すると、櫛状部３８には吸湿材３１が配されているため、吸湿材３１が頭髪へ接触することとなる。これにより、頭髪を解いて整髪しながら、頭髪に含まれた湿気や水分は吸湿材３１へ吸収されることになる。さらに、通気孔３３を介して空気が噴出されるため、頭髪の乾燥を促進させるとともに、湿気を含んだ吸湿材３１を速やかに乾燥させることができる。
【００４７】
以上のように本実施の形態によれば、再生可能な吸湿部材３１が直接頭髪に当接して速やかに頭髪の水分を吸着除去するため、頭髪を損傷せずに乾かすことができる。
【００４８】
また、回転羽根３４によりドライヤー筒部３６に送られ通風孔３３から吹き出された空気が、頭髪の乾燥を促進させると共に吸湿材３１を乾燥し再生させる。この時、回転羽根３４を高速で回転させる必要がないため、耳元での騒音を抑えることができるとともに、消費電力を低減させることもできる。
【００４９】
さらに、不織布などからなる吸湿材３１を設けているため、モータ３５で発生する音を吸音することができ、実際に聞こえるモータ３５の騒音を低減させることができる。
【００５０】
さらには、吸湿材３１を櫛状部３８の外周部に設けているため、櫛状部３８で頭髪を解いて整髪しながら、頭髪の湿気や水分を除去することができる。
【００５１】
なお、再生可能な吸湿部材３１と通風孔３３から吹き出される空気だけでは、乾かす速度が不十分であるほど大量の濡れた頭髪を乾かす場合には、ドライヤー筒部３６内部に補助ヒーターを設けて、頭髪を傷めない範囲で、通過する空気を過熱してもよい。
【００５２】
なお、本実施の形態では、頭髪を乾燥させる用途して用いたが、吸湿材３１を接触させて湿気や水分を吸着させることができれば、頭髪以外の箇所を乾燥させる目的で使用してもよい。例えば、犬や猫などの哺乳類の体毛を乾燥させる用途としても用いてもよい。
【００５３】
なお、本実施の形態において、吸湿材保持部材３２は櫛状部３８を設けたが、図３（ａ）のように薄板状の保持部４２を設けて、その両面に吸湿材４１を貼り付けてもよい。この構成では、薄板状の保持部４２を用いて頭髪を解くことで、頭髪に含まれる湿気や水分を吸湿材で吸湿させることができると同時に、整髪も行うことができる。なお、４３は複数の保持部４２の間に設けられた通気孔である。
【００５４】
また、図３（ｂ）のように、略円筒形状の吸湿材保持部５２の側面から、放射状に櫛状部５８を複数設けてもよい。この構成では各櫛状部５８の先端に略球形状の吸湿材５１を設けている。そして、吸湿材保持部５２には複数の通気孔５３が設けられている。
【産業上の利用可能性】
【００５５】
本発明にかかるドライヤーは、熱による頭髪の損傷を防ぐことができると共に、騒音を抑えることが可能になるので、頭髪などを乾かす小型送風乾燥装置等として有用である。
【図面の簡単な説明】
【００５６】
【図１】（ａ）本発明の実施の形態１におけるドライヤーの斜視図（ｂ）本発明の実施の形態１におけるドライヤーの断面図
【図２】（ａ）本発明の実施の形態２におけるドライヤーの斜視図（ｂ）本発明の実施の形態２におけるドライヤーの断面図
【図３】本発明の実施の形態２におけるドライヤーの斜視図
【図４】従来のドライヤーの断面図
【図５】従来のドライヤーの断面図
【図６】従来のドライヤーの断面図
【符号の説明】
【００５７】
２１、３１    吸湿材
２２、３２    吸湿材保持部材
２３、３３    通風孔
２４、３４    回転羽根
２５、３５    モータ
２６、３６    ドライヤー筒部
２７、３７    吸込口
２８、３８    通気孔
【図１】
2006130035.tif 000003
【図２】
2006130035.tif 000004
【図３】
2006130035.tif 000005
【図４】
2006130035.tif 000006
【図５】
2006130035.tif 000007
【図６】
2006130035.tif 000008